(57)【特許請求の範囲】
【請求項１】
魚を高密度に飼育する飼育水槽に設置される養殖用給餌装置であって、餌を収容すると共に餌を送り出す餌供給部と、飼育水槽の内側に沿って水面の上方に配置され餌供給部から送り出された餌を移送する移送ラインと、移送ラインの長手方向に沿って複数箇所に形成された各餌吐出口に開閉自在に設けられ、餌吐出口を開くことによって餌を吐出させるシャッターと、各シャッターを開閉作動させるシャッター駆動装置とを具備して成ることを特徴とする養殖用給餌装置。
【請求項２】
移送ラインを餌供給部側の端部から他方の端部へと順に低くなるように傾斜させて配置し、移送ラインに沿って餌を自然落下させて移送するようにしたことを特徴とする請求項１に記載の養殖用給餌装置。
【請求項３】
各餌吐出口に設けられたシャッターを所定の設定された順に開閉するようにシャッター駆動装置を作動させる制御部を具備して成ることを特徴とする請求項１又は２に記載の養殖用給餌装置。
【発明の詳細な説明】
【０００１】
【発明の属する技術分野】
本発明は、飼育水槽において、餌を自動的に供給する給餌装置に関するものである。
【０００２】
【従来の技術】
飼育水槽で魚を高密度に養殖あるいは一時的に蓄養する場合、魚に給餌するために飼育水槽に餌を供給することは必須の事項である。そして餌を供給するにあたって、飼育水槽に自動的に餌を供給する給餌装置が用いられることが多い。このような給餌装置としては、餌を飼育水槽の一箇所に落下させて供給するようにしたものが一般的である。
【０００３】
【発明が解決しようとする課題】
しかし、このように飼育水槽の所定の一箇所に餌を落下させて供給するようにすると、狭い面積に高密度で飼育する魚が餌の落下位置に集中し、魚の個体差によっては餌に近付けない魚が出てくる。そしてこのような餌に近付けない魚は餌の捕食量も少ないので成長が遅く、逆に常に餌を捕食できる魚はさらに大きく成長し、魚の個体差がますます大きくなり、魚を均一な大きさに飼育することが難しいという問題があった。
【０００４】
本発明は上記の点に鑑みてなされたものであり、飼育水槽で飼育する総ての魚に均等に餌を捕食させることができる養殖用給餌装置を提供することを目的とするものである。
【０００５】
【課題を解決するための手段】
本発明の請求項１に係る養殖用給餌装置は、魚を高密度に飼育する飼育水槽１に設置される養殖用給餌装置であって、餌２を収容すると共に餌を送り出す餌供給部３と、飼育水槽１の内側に沿って水面の上方に配置され餌供給部３から送り出された餌２を移送する移送ライン４と、移送ライン４の長手方向に沿って複数箇所に形成された各餌吐出口５に開閉自在に設けられ、餌吐出口５を開くことによって餌２を吐出させるシャッター６と、各シャッター６を開閉作動させるシャッター駆動装置７とを具備して成ることを特徴とするものである。
【０００６】
また請求項２の発明は、請求項１において、移送ライン４を餌供給部３側の端部から他方の端部へと順に低くなるように傾斜させて配置し、移送ライン４に沿って餌２を自然落下させて移送するようにしたことを特徴とするものである。
【０００７】
また請求項３の発明は、請求項１又は２において、各餌吐出口５に設けられたシャッター６を所定の設定された順に開閉するようにシャッター駆動装置７を作動させる制御部８を具備して成ることを特徴とするものである。
【０００８】
【発明の実施の形態】
以下、本発明の実施の形態を説明する。
【０００９】
図１は本発明の実施の形態の一例を示すものであり、魚を高密度に飼育する周囲を囲まれた飼育場所として、平面が円形の飼育水槽１を用いるようにしてある。そしてこの飼育水槽１に餌を供給する給餌装置は餌供給部３、移送ライン４、移送ライン４の餌吐出口５に設けられるシャッター６、シャッター駆動装置７などを具備して形成してある。
【００１０】
餌供給部３は飼育水槽１の周囲の外側に配置してあり、この餌供給部３は餌２を貯蔵する貯蔵タンクとして形成してある。移送ライン４は筒状に形成してあり、一端を餌供給部３の下部に接続してある。餌供給部３から移送ライン４への出口には噴射装置１３が設けてあり、餌供給部３内の餌２を噴射して移送ライン４に送り出すようにしてある。またこの噴出装置１３の代りに餌供給部３にシャッターを設け、シャッターを開くことによって餌供給部３から移送ライン４に餌２を送り出すようにすることも可能である。
【００１１】
移送ライン４は飼育水槽１の内側に沿った配置で、飼育水槽１の水面の上方に設けてあり、図１（ｂ）に示すように餌供給部３に接続した端部から他方の端部へと順に低くなるように下り傾斜させてある。移送ライン４は飼育水槽１内で飼育される魚を囲む形状に形成されるものであり、飼育水槽１の平面形状が円形の場合には、図１（ａ）のように円形の曲線状に移送ライン４を形成し、飼育水槽１の内側近傍に沿った配置で設けるようにするものである。また飼育水槽１の平面形状が八角形の場合には、八角形状に移送ライン４を形成するものである。そして移送ライン４の下面には餌吐出口５が形成してある。餌吐出口５は移送ライン４の長手方向に沿った複数箇所に設けてあり、餌供給部３に最も近い餌吐出口５ａから、餌吐出口５ｂ、餌吐出口５ｃへと餌供給部３から離れる順に低い位置になり、餌供給部３と反対側の端部、すなわち移送ライン４の先端部に設けられた餌吐出口５ｄは最も低い位置になっている。
【００１２】
また各餌吐出口５ａ，５ｂ，５ｃにはシャッター６が設けてあり、シャッター６によって餌吐出口５ａ，５ｂ，５ｃを開閉することができるようにしてある。これらのシャッター６は電磁ソレノイドやエアーシリンダーなどから形成されるシャッター駆動装置７によって開閉駆動されるようにしてあり、各シャッター６は独立してシャッター駆動装置７で駆動されるようにしてある。ここで、餌吐出口５のうち、移送ライン４の餌供給部３と反対側の端部、すなわち移送ライン４の先端部に設けられた餌吐出口５ｄにはシャッター６が設けられておらず、この餌吐出口５ｄは常に開口している。
【００１３】
そして、餌供給部３と各シャッター駆動装置７にはＣＰＵ等を具備して形成される制御部８が電気的に接続してあり、餌供給部３の噴射装置１３の作動や、シャッター駆動装置７の作動を制御部８によって制御することができるようにしてある。
【００１４】
上記のように形成される給餌装置にあって、餌供給部３の噴射装置１３を作動させて餌供給部３の餌２を噴出して移送ライン４に送り出すと、移送ライン４の傾斜によって餌２は移送ライン４に沿って自然落下して移送される。従って、餌を移送ライン４に沿って移送させるための動力を必要としないものである。ここで、シャッター６はシャッター駆動装置７で回動作動される回動軸１４によって一端を枢支した状態で移送ライン４内に回動自在に取り付けられているものであり、餌吐出口５ａ，５ｂ，５ｃがシャッター６で閉じられているときには、図２（ａ）に示すように餌２はシャッター６の上を通過し、餌吐出口５ａ，５ｂ，５ｃから吐出されない。一方、シャッター６を上方へ回動して餌吐出口５ａ，５ｂ，５ｃを開口させると、図２（ｂ）に示すようにシャッター６で移送ライン４内の通路が遮蔽され、移送ライン４内を移送された餌２は全量が開口した餌吐出口５ａ，５ｂ，５ｃから吐出されるようになっている。
【００１５】
そして、餌吐出口５ａのシャッター駆動装置７を作動させてシャッター６を開くと、図２（ｂ）のように餌吐出口５ａが開口して、移送ライン４を移送される餌２はこの餌吐出口５ａから吐出され、この餌吐出口５ａの位置において飼育水槽１内に落下し、給餌が行なわれる。移送ライン４を移送される餌２の全量がこの餌吐出口５ａから吐出されるものであり、餌吐出口５ｂ，５ｃ，５ｄからは餌２は吐出されない。また餌吐出口５ａのシャッター６を閉じると共に餌吐出口５ｂのシャッター駆動装置７を作動させてシャッター６を開くと、移送ライン４を移送される餌２は図２（ａ）のように餌吐出口５ａのシャッター６の上を通過し、図２（ｂ）のように開口した餌吐出口５ｂから餌２が吐出され、この餌吐出口５ｂの位置において飼育水槽１内に落下し、給餌が行なわれる。移送ライン４を移送される餌２の全量がこの餌吐出口５ｂから吐出されるものであり、餌吐出口５ａ，５ｃ，５ｄからは餌２は吐出されない。また、餌吐出口５ａ，５ｂのシャッター６を閉じると共に餌吐出口５ｃのシャッター駆動装置７を作動させてシャッター６を開くと、移送ライン４を移送される餌２は図２（ａ）のように餌吐出口５ａ，５ｂのシャッター６の上を通過し、図２（ｂ）のように開口した餌吐出口５ｃから餌２が吐出され、この餌吐出口５ｃの位置において飼育水槽１内に落下し、給餌が行なわれる。移送ライン４を移送される餌２の全量がこの餌吐出口５ｃから吐出されるものであり、餌吐出口５ａ，５ｂ，５ｄからは餌２は吐出されない。さらに餌吐出口５ａ，５ｂ，５ｃの総てのシャッター６を閉じると、移送ライン４を移送される餌２は図２（ａ）のように餌吐出口５ａ，５ｂ，５ｃのシャッター６の上を通過し、シャッター６が設けられておらず常に開口している餌吐出口５ｄから餌２が吐出され、この餌吐出口５ｃの位置において飼育水槽１内に落下し、給餌が行なわれる。このようにして、飼育水槽１の複数箇所において餌２を給餌することができるものであり、飼育水槽１の狭い面積に高密度で飼育される魚に餌２を捕食する機会を均等に与えることができ、従って餌２が供給された一箇所に魚が集中して餌２に近付けない魚がいても、この魚は他の個所に供給される餌２を捕食することができるものであり、捕食能力に差のある総ての魚に均等に餌２を給餌し、魚を均一な大きさに飼育することができるものである。
【００１６】
ここで、魚の餌捕食行動や、飼育水槽１の形状などに応じて、最も捕食効果が高い供給タイミング、供給位置で給餌をすることができるように、制御部８をプログラムしてある。すなわち、餌吐出口５ａ，５ｂ，５ｃに設けられた各シャッター６を制御部８で制御しながらシャッター駆動装置７で所定の設定された順で開閉することによって、所定の設定された順で餌吐出口５ａ，５ｂ，５ｃ，５ｄから餌２を吐出するようにしてあり、また各シャッター６を開ける時間を制御部８で制御することによって給餌量を調整するようにしてある。
【００１７】
例えば、まず餌吐出口５ａのシャッター６を開いて餌吐出口５ａの位置から餌２を給餌すると、魚の大半はこの給餌位置に群れになって集中して餌２を捕食するが、なかにはこの給餌位置で餌２を捕食できない魚があるので、一定時間後に餌吐出口５ａのシャッター６を閉じると共に餌吐出口５ｂのシャッター６を開き、餌吐出口５ｂの位置から餌２を給餌し、餌吐出口５ａの位置で餌２を捕食できなかった魚も餌吐出口５ｂの位置から餌２を捕食することができる。さらに一定時間後に餌吐出口５ｂのシャッター６を閉じると共に餌吐出口５ｃのシャッター６を開き、餌吐出口５ｃの位置から餌２を給餌し、餌吐出口５ａ，５ｂの位置で餌２を捕食できなかった魚も餌吐出口５ｃの位置から餌２を捕食することができる。そしてさらに一定時間後に餌吐出口５ｃのシャッター６を閉じることによって、餌吐出口５ｄの位置から餌２を給餌し、餌吐出口５ａ，５ｂ，５ｃの位置で餌２を捕食できなかった魚も餌吐出口５ｄの位置から餌２を捕食することができる。このように制御部８でシャッター駆動装置７の作動を制御することによって、制御部８にプログラムされて設定された餌吐出口５ａ、餌吐出口５ｂ、餌吐出口５ｃ、餌吐出口５ｄの順に給餌位置を自動的に移動させることができ、飼育水槽１内の魚に均一に給餌させることが可能になるのである。給餌位置の順番は制御部８の設定によって任意に変更することができるものであり、例えば餌吐出口５ａ、餌吐出口５ｄ、餌吐出口５ａ、餌吐出口５ｃ、餌吐出口５ａ、餌吐出口５ｂの順にシャッター６を開いて給餌位置を移動させるようにすることができる。
【００１８】
【発明の効果】
上記のように本発明の請求項１に係る養殖用給餌装置は、魚を高密度に飼育する飼育水槽に設置される養殖用給餌装置であって、餌を収容すると共に餌を送り出す餌供給部と、飼育水槽の内側に沿って水面の上方に配置され餌供給部から送り出された餌を移送する移送ラインと、移送ラインの長手方向に沿って複数箇所に形成された各餌吐出口に開閉自在に設けられ、餌吐出口を開くことによって餌を吐出させるシャッターと、各シャッターを開閉作動させるシャッター駆動装置とを具備するので、餌供給部から送り出された餌を移送ラインで移送しながら、シャッターを開閉作動させて各餌吐出口を開閉することによって、飼育水槽の複数箇所において給餌することができ、飼育水槽の狭い面積に高密度で飼育される魚に餌を捕食する機会を均等に与えることができるものであり、捕食能力に差のある総ての魚に均等に餌を給餌し、魚を均一な大きさに飼育することができるものである。また、飼育水槽内で飼育される魚に均等に餌を捕食する機会を与えるように給餌を行なうことができるものである。
【００１９】
また請求項２の発明は、移送ラインを餌供給部側の端部から他方の端部へと順に低くなるように傾斜させて配置し、移送ラインに沿って餌を自然落下させて移送するようにしたので、餌は移送ラインを自重による自然落下で移送されるものであり、餌を移送するための動力を不要にすることができるものである。
【００２０】
また請求項３の発明は、各餌吐出口に設けられたシャッターを所定の設定された順に開閉するようにシャッター駆動装置を作動させる制御部を具備するので、魚の餌捕食行動や飼育水槽の形状などに応じて、最も捕食効果が高い供給タイミング、供給位置に設定して自動的に給餌をすることができるものである。
【図面の簡単な説明】
【図１】  本発明の実施の形態の一例を示すものであり、（ａ）は平面図、（ｂ）正面図である。
【図２】  同上の移送ラインの一部を示すものであり、（ａ），（ｂ）はそれぞれ断面図である。
【符号の説明】
１  飼育水槽
２  餌
３  餌供給部
４  移送ライン
５  餌吐出口
６  シャッター
７  シャッター駆動装置
８  制御部
【図１】
0003887215.tif 000002
【図２】
0003887215.tif 000003